(57)【要約】【課題】  ＵＩオブジェクトのレイアウトを変更するための特別な操作をユーザに強いることなく、通話中に、利き手とは異なる手でタッチ操作を行う場合に、タッチ操作をし易くすることができる携帯電話装置を提供する。【解決手段】  スマートフォン（１）は、表示面（１１ａ）を有する表示部（２１）と、タッチセンサ（２２）と、タッチ操作対象のＵＩオブジェクト画像（２０）を含むアプリケーション画面を表示部（２１）に表示させる制御部（１７）とを含み、制御部（１７）は、スマートフォン（１）が通話状態であるか否かを判定する通話状態判定部と、通話状態であると判定されると、表示面（１１ａ）に表示されるアプリケーション画面におけるＵＩオブジェクト画像（２０）の配置を、通話状態でのタッチ操作に適した予め定める配置に変更するオブジェクト画像配置変更部とを有する。【選択図】      図３
2014142868.tif 000002
【特許請求の範囲】
【請求項１】
画像を表示可能な表示面を有する表示部と、
前記表示面に対するタッチ操作によってタッチされた位置に対応する座標情報を出力するタッチ位置検出部と、
タッチ操作対象のオブジェクト画像を含むオブジェクト画像表示画面を前記表示部に表示させる制御部とを含み、
前記制御部は、
通話状態であるか否かを判定する通話状態判定部と、
通話状態判定部によって通話状態であると判定されると、前記表示部に表示されるオブジェクト画像表示画面におけるオブジェクト画像の配置を、通話状態でのタッチ操作に適した予め定める配置に変更するオブジェクト画像配置変更部とを有することを特徴とする携帯電話装置。
【請求項２】
右手および左手のうちのいずれか一方を示す情報であって、非通話状態においてタッチ操作に用いる手として予め設定された手を示す情報を記憶する記憶部をさらに含み、
前記オブジェクト画像配置変更部は、通話状態判定部によって通話状態であると判定されると、前記表示部に表示されるオブジェクト画像表示画面におけるオブジェクト画像の配置を、右手および左手のうちのいずれか他方の手でのタッチ操作に適した予め定める配置に変更することを特徴とする請求項１に記載の携帯電話装置。
【請求項３】
コンピュータを、請求項１または２に記載の携帯電話装置における制御部として機能させるためのプログラム。
【請求項４】
請求項３に記載のプログラムを記録したコンピュータ読取可能な記録媒体。
【発明の詳細な説明】
【技術分野】
【０００１】
本発明は、携帯電話装置、プログラムおよび記録媒体に関する。
【背景技術】
【０００２】
近年、携帯電話装置として、タッチパネルを搭載したスマートフォンが普及している。スマートフォンは、片手で持ちつつ、その片手の親指を用いてタッチ操作が行われるといった利用シーンが想定されており、このような利用シーンでは、スマートフォンの持ち手として、利き手を選択するユーザの方が多いと想定される。また、利き手としては、左利きの人よりも右利きの人の方が多いと考えられる。
【０００３】
このため、スマートフォンに搭載されているアプリケーションは、スマートフォンの持ち手が右手であるときに、右手の親指でタッチ操作し易いように、画面設計されている場合が多い。具体的には、所定の処理を実行するための操作ボタンや、画面をスクロールするためのスクロールバーなどといったＵＩ（User Interface）オブジェクトを表すＵＩオブジェクト画像を、スマートフォンを右手で持ったときに、右手の親指でタッチ操作し易い位置にレイアウトするように、画面設計されている場合が多い。
【０００４】
したがって、このように右手の親指でのタッチ操作を想定してＵＩオブジェクト画像がレイアウトされている画面が表示されているときに、スマートフォンを左手で持ち、左手の親指でタッチ操作しようとすると、操作対象のＵＩオブジェクト画像に指が届かない、あるいはタッチ操作しにくいといった不都合が生じる場合がある。
【０００５】
このような不都合は、特に、通話をしながら画面をタッチ操作するような場合に起こり得る。つまり、通常、利き手である右手でスマートフォンを持つユーザであっても、電話中には、利き手である右手を、メモを取るための手とするために、利き手ではない左手でスマートフォンを持って通話するユーザが多く、このようなユーザは、通話中に画面をタッチ操作しようとすると、左手の親指を用いなければならず、前記のような不都合が生じてしまう。
【０００６】
このように、持ち手を変えた場合にタッチ操作がしづらくなるという問題を解消するための従来技術が、たとえば特許文献１に開示されている。特許文献１によれば、表示部に表示されている画面をスクロールさせるためのスクロール操作におけるタッチ位置の軌跡に基づいて持ち手を判定し、持ち手に応じた位置にＵＩオブジェクトがレイアウトされるように、画面上でのＵＩオブジェクトのレイアウトを変更する技術が開示されている。
【先行技術文献】
【特許文献】
【０００７】
【特許文献１】特開２０１２−１５５６７５号公報
【発明の概要】
【発明が解決しようとする課題】
【０００８】
前記特許文献１に記載の技術によれば、持ち手に応じてＵＩオブジェクトのレイアウトが変更されるため、持ち手によらずに良好なタッチ操作性を実現することができる。しかしながら、ＵＩオブジェクトのレイアウト変更処理が、スクロール操作をトリガとして実行されるため、ユーザは、ＵＩオブジェクトのレイアウトを変更するために、わざわざスクロール操作を行わなければならないという問題がある。
【０００９】
本発明の目的は、ＵＩオブジェクトのレイアウトを変更するための特別な操作をユーザに強いることなく、通話中に、利き手とは異なる手でタッチ操作を行う場合に、タッチ操作をし易くすることができる携帯電話装置、プログラムおよび記録媒体を提供することである。
【課題を解決するための手段】
【００１０】
本発明は、画像を表示可能な表示面を有する表示部と、
前記表示面に対するタッチ操作によってタッチされた位置に対応する座標情報を出力するタッチ位置検出部と、
タッチ操作対象のオブジェクト画像を含むオブジェクト画像表示画面を前記表示部に表示させる制御部とを含み、
前記制御部は、
通話状態であるか否かを判定する通話状態判定部と、
通話状態判定部によって通話状態であると判定されると、前記表示部に表示されるオブジェクト画像表示画面におけるオブジェクト画像の配置を、通話状態でのタッチ操作に適した予め定める配置に変更するオブジェクト画像配置変更部とを有することを特徴とする携帯電話装置である。
【００１１】
また本発明は、右手および左手のうちのいずれか一方を示す情報であって、非通話状態においてタッチ操作に用いる手として予め設定された手を示す情報を記憶する記憶部をさらに含み、
前記オブジェクト画像配置変更部は、通話状態判定部によって通話状態であると判定されると、前記表示部に表示されるオブジェクト画像表示画面におけるオブジェクト画像の配置を、右手および左手のうちのいずれか他方の手でのタッチ操作に適した予め定める配置に変更することを特徴とする。
【００１２】
また本発明は、コンピュータを、前記携帯電話装置における制御部として機能させるためのプログラムである。
【００１３】
また本発明は、前記プログラムを記録したコンピュータ読取可能な記録媒体である。
【発明の効果】
【００１４】
本発明によれば、ＵＩオブジェクトのレイアウトを変更するための特別な操作をユーザに強いることなく、通話中に、利き手とは異なる手でタッチ操作を行う場合に、タッチ操作をし易くすることができる。
【図面の簡単な説明】
【００１５】
【図１】本発明の一実施形態に係るスマートフォン１の主要な構成を示すブロック図である。
【図２】スマートフォン１の表示面１１ａにおいて、スマートフォン１を保持した手の親指でタッチ操作を行い易い領域を示す図であり、図２（ａ）は、スマートフォン１の持ち手が右手である場合を示し、図２（ｂ）は、スマートフォン１の持ち手が左手である場合を示している。
【図３】スマートフォン１を保持した手の親指でタッチ操作を行い易い領域Ａ１にＵＩオブジェクト画像がレイアウトされたアプリケーション画面を示す図であり、図３（ａ）は、スマートフォン１の持ち手が右手である場合の領域Ａ１にＵＩオブジェクト画像２０がレイアウトされたアプリケーション画面Ｄ１を示し、図３（ｂ）は、スマートフォン１の持ち手が左手である場合の領域Ａ１にＵＩオブジェクト画像２０がレイアウトされたアプリケーション画面Ｄ２を示している。
【図４】制御部１７がオブジェクト配置変更プログラムを実行することによって行われるオブジェクト配置変更処理の処理手順を示すフローチャートである。
【発明を実施するための形態】
【００１６】
図１は、本発明の一実施形態に係るスマートフォン１の主要な構成を示すブロック図である。スマートフォン１（携帯電話装置）は、タッチパネル１１と、音声処理部１２と、受話口に設けられるスピーカ１３と、送話口に設けられるマイクロホン１４と、移動体通信モジュール１５と、記憶部１６と、制御部１７とを含んで構成され、片手で保持しつつ、その片手の親指でタッチ操作可能な形状および寸法に形成されている。
【００１７】
タッチパネル１１は、ユーザによってタッチ操作される矩形状の表示面１１ａ（図２参照）を有し、その表示面１１ａが外部に露出するように、筐体１８内に収容されている。タッチパネル１１は、その表示面１１ａに画像データに応じた画像を表示する表示部２１と、表示部２１に重畳されたタッチセンサ２２とを有する。表示部２１は、たとえば液晶パネルおよびバックライトを備える液晶ディスプレイ装置や、有機ＥＬ（Electro-Luminescence）ディスプレイ装置などの公知の表示装置によって実現される。
【００１８】
タッチセンサ２２（タッチ位置検出部）は、たとえば投影型静電容量方式のセンサによって実現され、ユーザが指やスタイラスなどを用いて、表示面１１ａに対して行ったタッチ操作の表示面１１ａ上でのタッチ位置に対応する座標情報を、制御部１７へ出力する。
【００１９】
音声処理部１２は、スマートフォン１の電話機能により通話を行うための音声の入出力インターフェイスであり、スピーカ１３およびマイクロホン１４が接続され、スピーカ１３を介して音声を出力し、マイクロホン１４を介して音声を入力する。
【００２０】
移動体通信モジュール１５は、たとえばＩＭＴ−２０００（International Mobile Telecommunications 2000）規格に準拠した第３世代移動通信システムなどの移動体通信システムによる無線通信を実行する無線通信デバイスである。移動体通信モジュール１５は、移動体通信のセルラーネットワークの無線基地局との間で無線接続を確立することによって、ＣＤＭＡ（Code Division Multiple Access）等の方式によって無線通信を行う。
【００２１】
記憶部１６は、フラッシュメモリなどの半導体メモリによって実現され、スマートフォン１の基本的な機能を実現するオペレーティングシステム（ＯＳ：Operating System）プログラムが記憶されるとともに、電話機能を実現するための電話プログラム、電子メール機能を実現するメールプログラム、電話帳機能を実現するための電話帳プログラム、メモ帳機能を実現するためのメモ帳プログラム、およびＷｅｂブラウジング機能を実現するブラウザプログラムなどの種々のアプリケーションプログラムが記憶される。
【００２２】
本実施形態では、この記憶部１６には、後述するオブジェクト配置変更処理を実行するためのプログラム（以下、「オブジェクト配置変更プログラム」と称する）が記憶されている。
【００２３】
なお、このオブジェクト配置変更プログラムは、スマートフォン１に予めインストールされていてもよく、または、インターネットからダウンロードするなどして取得し、インストールされてもよい。
【００２４】
制御部１７は、スマートフォン１の各部の動作を制御する処理部であり、たとえばＣＰＵ（Central Processing Unit）、ＲＯＭ（Read Only Memory）およびＲＡＭ（Random Access Memory）によって実現される。
【００２５】
制御部１７は、記憶部１６からＲＡＭにロードされるオペレーティングシステムプログラムおよびアプリケーションプログラムを実行するとともに、オブジェクト配置変更プログラムを実行する。
【００２６】
なお、制御部１７は、このオブジェクト配置変更プログラムを実行することによって、本発明における通話状態判定部、およびオブジェクト画像配置変更部として機能する。また、記憶部１６には、右手および左手のうちのいずれか一方を示す情報であって、通常時（非通話状態）にスマートフォン１の持ち手として用いられる手を示す持ち手情報が、ユーザにより予め設定されて格納されているものとする。
【００２７】
ここで、通常時にスマートフォン１の持ち手として用いられる手とは、スマートフォン１を用いて他の電話装置と通話を行っている状態以外のときに、スマートフォン１を片手で保持し、その片手の親指でタッチパネル１１に対してタッチ操作を行うために用いられる手である。
【００２８】
図２は、スマートフォン１の表示面１１ａにおいて、スマートフォン１を保持した手の親指でタッチ操作を行い易い領域を示す図であり、図２（ａ）は、スマートフォン１の持ち手が右手である場合を示し、図２（ｂ）は、スマートフォン１の持ち手が左手である場合を示している。
【００２９】
図２に示すように、スマートフォン１を片手で持ち、その持ち手の親指で表示面１１ａをタッチ操作する場合、表示面１１ａには、持ち手の親指でタッチ操作を行い易い領域Ａ１と、持ち手の親指ではタッチ操作できない領域Ａ３と、持ち手の親指でタッチ操作を行うことはできるが、タッチ操作を行い難い領域Ａ２とが存在している。
【００３０】
具体的には、スマートフォン１を右手で持つ場合、図２（ａ）に示すように、表示面１１ａの右下隅Ｒを中心とし、該右下隅Ｒ付近に拡がる略四半円状の領域Ａ２が、スマートフォン１を右手で持ったときに、右手の親指の付け根に近接して、右手の親指ではタッチ操作を行い難い領域となる。この領域Ａ２の大きさは、ユーザの手のサイズによって異なるが、表示面１１ａの右下隅Ｒから半径１〜２ｃｍ程度の範囲である。
【００３１】
また、表示面１１ａの右下隅Ｒを中心とし、領域Ａ２の外側に拡がる略四半円環状の領域Ａ１が、右手の親指でタッチ操作を行い易い領域となる。この領域Ａ１の大きさも、ユーザの手のサイズによって異なるが、表示面１１ａの右下隅Ｒから半径７〜９ｃｍ程度の範囲である。そして、この領域Ａ１の外側に拡がる残余の領域Ａ３が、右手の親指が届かず片手では容易にタッチ操作できない領域となる。
【００３２】
同様に、スマートフォン１を左手で持つ場合、図２（ｂ）に示すように、表示面１１ａの左下隅Ｌを中心とし、該左下隅Ｌ付近に拡がる略四半円状の領域Ａ２が、スマートフォン１を左手で持ったときに、左手の親指の付け根に近接して、左手の親指ではタッチ操作を行い難い領域となる。この領域Ａ２の大きさも、ユーザの手のサイズによって異なるが、表示面１１ａの左下隅Ｌから半径１〜２ｃｍ程度の範囲である。
【００３３】
また、表示面１１ａの左下隅Ｌを中心とし、領域Ａ２の外側に拡がる略四半円環状の領域Ａ１が、左手の親指でタッチ操作を行い易い領域となる。この領域Ａ１の大きさも、ユーザの手のサイズによって異なるが、表示面１１ａの左下隅Ｌから半径７〜９ｃｍ程度の範囲である。そして、この領域Ａ１の外側に拡がる残余の領域Ａ３が、左手の親指が届かず片手では容易にタッチ操作できない領域となる。
【００３４】
なお、記憶部１６には、このような各領域Ａ１〜Ａ３の範囲を示す領域情報が、予め格納されている。この領域情報は、デフォルトで設定された各領域Ａ１〜Ａ３の範囲を示す情報であってもよく、または、ユーザにより設定された各領域Ａ１〜Ａ３の範囲を示す情報であってもよい。
【００３５】
図３は、スマートフォン１を保持した手の親指でタッチ操作を行い易い領域Ａ１にＵＩオブジェクト画像２０がレイアウトされたアプリケーション画面を示す図であり、図３（ａ）は、スマートフォン１の持ち手が右手である場合の領域Ａ１にＵＩオブジェクト画像２０がレイアウトされたアプリケーション画面Ｄ１を示し、図３（ｂ）は、スマートフォン１の持ち手が左手である場合の領域Ａ１にＵＩオブジェクト画像２０がレイアウトされたアプリケーション画面Ｄ２を示している。
【００３６】
図３に示すように、スマートフォン１に搭載されているアプリケーションプログラムを実行したときに表示面１１ａに表示されるアプリケーション画面には、所定の処理を実行するための操作ボタン２０ａや、画面をスクロールするためのスクロールバー２０ｂなどといったＵＩオブジェクトを表すＵＩオブジェクト画像２０が含まれる場合がある。
【００３７】
このように、ＵＩオブジェクト画像２０を含むアプリケーション画面を表示面１１ａに表示する場合には、図３（ａ）および図３（ｂ）に示すように、スマートフォン１の持ち手に応じて定められる、タッチ操作を行い易い領域Ａ１にＵＩオブジェクト画像２０をレイアウトすることによって、ユーザは、持ち手の親指を用いて容易にタッチ操作を行うことができる。
【００３８】
本実施形態では、制御部１７は、記憶部１６に記憶されているオブジェクト配置変更プログラムを実行することによって、ＵＩオブジェクト画像２０を含むアプリケーション画面を表示面１１ａに表示する場合に、スマートフォン１が他の電話装置と通話状態であるか否かを判定を行う。
【００３９】
そして、スマートフォン１が他の電話装置と通話状態であると判定されると、記憶部１６に記憶されている持ち手情報および領域情報に基づいて、通常時にスマートフォン１の持ち手として用いられる手とは反対の手に応じて定められる領域Ａ１にＵＩオブジェクト画像２０をレイアウトしたアプリケーション画面を表示面１１ａに表示させる。
【００４０】
また、スマートフォン１が他の電話装置と通話状態ではないと判定されると、記憶部１６に記憶されている持ち手情報および領域情報に基づいて、通常時にスマートフォン１の持ち手として用いられる手に応じて定められる領域Ａ１にＵＩオブジェクト画像２０をレイアウトしたアプリケーション画面を表示面１１ａに表示させる。
【００４１】
たとえば、右手が通常時にスマートフォン１の持ち手として用いられる手として設定されている場合には、スマートフォン１が他の電話装置と通話状態であれば、図３（ｂ）に示すようにＵＩオブジェクト画像２０がレイアウトされたアプリケーション画面Ｄ２が表示面１１ａに表示され、スマートフォン１が他の電話装置と通話状態でなければ、図３（ａ）に示すようにＵＩオブジェクト画像２０がレイアウトされたアプリケーション画面Ｄ１が表示面１１ａに表示される。
【００４２】
図４は、制御部１７がオブジェクト配置変更プログラムを実行することによって行われるオブジェクト配置変更処理の処理手順を示すフローチャートである。なお、通常時にスマートフォン１の持ち手として用いられる手として、右手が設定されているものとする。
【００４３】
表示面１１ａに、アプリケーションプログラム実行時のアプリケーション画面が表示されている状態で処理が開始され、ステップｓ１に進む。ステップｓ１で、制御部１７は、他の電話装置からの着信の有無を判定し、着信があったと判定されるとステップｓ２に進む。
【００４４】
ステップｓ２で、制御部１７は、電話アプリケーションを起動し、着信相手を識別するための情報、ならびに通話開始ボタンおよび通話拒否ボタンなどのＵＩオブジェクト画像２０を含む着信画面（アプリケーション画面）を表示面１１ａに表示させ、ステップｓ３に進む。
【００４５】
このとき、制御部１７は、記憶部１６に記憶されている持ち手情報および領域情報に基づいて、スマートフォン１を右手で持ったときに右手の親指でタッチ操作を行い易い領域Ａ１（図２（ａ）参照）に配置されるようにＵＩオブジェクト画像２０をレイアウトした着信画面の画像データを生成し、表示部２１に表示させる。
【００４６】
ステップｓ３で、制御部１７は、着信画面に表示されている通話開始ボタンがタッチ操作されることによって、スマートフォン１が通話状態になったか否かを判定し、通話状態になった場合には、ステップｓ４に進む。
【００４７】
ステップｓ４で、制御部１７は、通話時間を示す情報、ならびに終話ボタン、通話音量増大ボタンおよび通話音量低下ボタンなどのＵＩオブジェクト画像２０を含む通話中画面（アプリケーション画面）を表示面１１ａに表示させ、ステップｓ５に進む。
【００４８】
このとき、制御部１７は、記憶部１６に記憶されている持ち手情報および領域情報に基づいて、スマートフォン１を左手で持ったときに左手の親指でタッチ操作を行い易い領域Ａ１（図２（ｂ）参照）に配置されるようにＵＩオブジェクト画像２０をレイアウトした通話中画面の画像データを生成し、表示部２１に表示させる。
【００４９】
ステップｓ５で、制御部１７は、電話アプリケーション以外のアプリケーション、たとえばメモ帳アプリケーションやブラウザアプリケーションなどが、ユーザによって起動されたか否かを判定する。電話アプリケーション以外のアプリケーションが起動された場合には、ステップｓ６に進み、起動されていない場合には、ステップｓ７に進む。
【００５０】
ステップｓ６で、制御部１７は、起動されたアプリケーションのアプリケーション画面を表示面１１ａに表示させ、ステップｓ７に進む。このとき、制御部１７は、そのアプリケーション画面にＵＩオブジェクト画像が含まれていれば、記憶部１６に記憶されている持ち手情報および領域情報に基づいて、スマートフォン１を左手で持ったときに左手の親指でタッチ操作を行い易い領域Ａ１に配置されるようにＵＩオブジェクト画像２０をレイアウトしたアプリケーション画面の画像データを生成し、表示部２１に表示させる。
【００５１】
ステップｓ７で、制御部１７は、通話中画面に表示されている終話ボタンがタッチ操作されるなどして、通話状態が終了したか否かを判定する。通話状態が終了した場合には、ステップｓ８に進み、通話状態が継続している場合には、ステップｓ５に戻る。
【００５２】
ステップｓ８で、制御部１７は、電話アプリケーションが起動する直前に表示面１１ａに表示されていたアプリケーション画面を表示面１１ａに表示させ、処理を終了する。このとき、制御部１７は、そのアプリケーション画面にＵＩオブジェクト画像２０が含まれている場合には、記憶部１６に記憶されている持ち手情報および領域情報に基づいて、スマートフォン１を右手で持ったときに右手の親指でタッチ操作を行い易い領域Ａ１に配置されるようにＵＩオブジェクト画像２０をレイアウトしたアプリケーション画面の画像データを生成し、表示部２１に表示させる。
【００５３】
以上のように、本実施形態によれば、非通話状態では、非通話状態での持ち手の親指でタッチ操作を行い易いようにＵＩオブジェクト画像２０がレイアウトされたアプリケーション画面が表示され、非通話状態から通話状態へ移行すると、通話状態での持ち手の親指でタッチ操作を行い易いようにＵＩオブジェクト画像２０がレイアウトされたアプリケーション画面が表示される。
【００５４】
このように、通話状態へ移行すれば、自動的に、ＵＩオブジェクト画像２０のレイアウトが、通話状態での持ち手の親指でタッチ操作を行うのに適したレイアウトに変更されるので、ユーザは、レイアウトを変更するための特別な操作を行うことなく、通話状態での持ち手の親指で、タッチパネル１１に対して容易にタッチ操作を行うことができる。
【００５５】
上記の実施形態では、オブジェクト配置変更プログラムは、半導体メモリによって実現される記憶部１６に記憶されているが、このような記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００５６】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００５７】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００５８】
１  スマートフォン
１１  タッチパネル
１５  移動体通信モジュール
１６  記憶部
１７  制御部
２１  表示部
２２  タッチセンサ
【図１】
2014142868.tif 000003
【図２】
2014142868.tif 000004
【図３】
2014142868.tif 000005
【図４】
2014142868.tif 000006